【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
シュープレス機構のプレスロールとその下方または上方のシューとの間に配置されて回転走行するシュープレス用ベルトであって、
このシュープレス用ベルトは、前記シューに接触するシュー側層と、このシュー側層の外周に設けられた基体層と、この基体層の外周に形成された湿紙側層とを備え、
前記基体層は一対の補強用基材を有し、この一対の補強用基材は、前記シューの幅方向両側のシューエッジ部にそれぞれ対応する所定領域に経方向に周回して配置されていることを特徴とするシュープレス用ベルト。
【請求項２】
前記補強用基材は、前記基体層の外周および内周の一方または両方に配置されていることを特徴とする請求項１に記載のシュープレス用ベルト。
【請求項３】
前記補強用基材は、前記シュープレス用ベルトにおける前記シューエッジ部と当接するシューエッジ当接部領域のみに配置されていることを特徴とする請求項１または２に記載のシュープレス用ベルト。
【請求項４】
前記補強用基材は、前記シュープレス用ベルトにおける前記シューエッジ部と当接するシューエッジ当接部領域と、前記シュープレス用ベルトの緯方向端部を含む端部領域との両方に配置されていることを特徴とする請求項１または２に記載のシュープレス用ベルト。
【請求項５】
前記湿紙側層の表面には経方向に複数の凹溝が形成され、この凹溝は断面曲面状に形成されていることを特徴とする請求項１ないし４のいずれかの項に記載のシュープレス用ベルト。
【請求項６】
前記シュープレス用ベルトに形成された前記凹溝のうち、前記シューエッジ部の近傍に位置する前記凹溝を断面曲面状に形成するか、または、すべての前記凹溝を断面曲面状にしていることを特徴とする請求項５に記載のシュープレス用ベルト。
【請求項７】
前記湿紙側層の表面に経方向に形成された複数の凹溝は、前記シューの幅方向両側のシューエッジ当接部領域のところには形成されておらず、この領域以外のところに形成されていることを特徴とする請求項１ないし４のいずれかの項に記載のシュープレス用ベルト。
【請求項８】
前記補強用基材は、経糸と緯糸により格子状をなし且つ交差部で接合された格子状部材により構成され、
前記基体層は、経糸と緯糸により格子状をなし且つ交差部で接合された格子状部材からなる本体部と、前記格子状部材からなる前記補強用基材と、前記格子状部材の外周または内周に配置され糸が螺旋状に巻回された糸巻層とを有していることを特徴とする請求項１ないし７のいずれかの項に記載のシュープレス用ベルト。
【請求項９】
前記補強用基材には、前記基体層の前記本体部用と同じまたは異なる前記格子状部材が使用されていることを特徴とする請求項８に記載のシュープレス用ベルト。
【請求項１０】
前記本体部の前記格子状部材と、前記補強用基材の前記格子状部材とが異なる例としては、両方の前記格子状部材において、互いのメッシュが異なる第１のケースと、前記経糸同士の太さが異なる第２のケースと、前記緯糸同士の太さが異なる第３のケースと、前記第１のケースないし前記第３のケースのうち二以上のケースが組合わさった場合とがあることを特徴とする請求項９に記載のシュープレス用ベルト。
【請求項１１】
前記格子状部材が複数層の場合に、この格子状部材自体の幅方向の端部同士を互いに重ねた部分、または、この端部同士が互いに離隔する部分若しくは互いに当接する部分が、複数層に渡って同じ場所にならないように配置されていることを特徴とする請求項８に記載のシュープレス用ベルト。
【請求項１２】
前記格子状部材は、前記緯糸が前記経糸よりも摩耗しにくくなっていることを特徴とする請求項８に記載のシュープレス用ベルト。
【請求項１３】
前記経糸は、炭素繊維やガラス繊維などの無機繊維，木綿などの天然繊維，または合成繊維の素材からなる、撚糸または紡績糸であり、
前記緯糸は、ナイロン，ポリエチレンテレフタラート，芳香族ポリアミド，芳香族ポリイミド，高強度ポリエチレンなどの高いモジュラス，高弾性率の合成繊維，ポリエステルのマルチフィラメントの撚糸であるか、または、ポリエステル綿からなる紡績糸であることを特徴とする請求項１２に記載のシュープレス用ベルト。
【請求項１４】
前記合成繊維は、ポリエステル綿，ポリエステルのマルチフィラメント，アクリル綿，または、アクリルのマルチフィラメントであることを特徴とする請求項１３に記載のシュープレス用ベルト。
【手続補正２】
【補正対象書類名】明細書
【補正対象項目名】０００７
【補正方法】変更
【補正の内容】
【０００７】
上述の目的を達成するため、本発明は、シュープレス機構のプレスロールとその下方または上方のシューとの間に配置されて回転走行するシュープレス用ベルトであって、このシュープレス用ベルトは、前記シューに接触するシュー側層と、このシュー側層の外周に設けられた基体層と、この基体層の外周に形成された湿紙側層とを備え、前記基体層は一対の補強用基材を有し、この一対の補強用基材は、前記シューの幅方向両側のシューエッジ部にそれぞれ対応する所定領域に経方向に周回して配置されている。
たとえば、前記補強用基材は、前記基体層の外周および内周の一方または両方に配置されている。
前記補強用基材は、前記シュープレス用ベルトにおける前記シューエッジ部と当接するシューエッジ当接部領域のみに配置されているか、または、このシューエッジ当接部領域と、前記シュープレス用ベルトの緯方向端部を含む端部領域との両方に配置されているのが好ましい。
前記湿紙側層の表面には経方向に複数の凹溝が形成され、この凹溝は断面曲面状に形成されているのが好ましい。
前記シュープレス用ベルトに形成された前記凹溝のうち、前記シューエッジ部の近傍に位置する前記凹溝を断面曲面状に形成するか、または、すべての前記凹溝を断面曲面状にしているのが好ましい。
なお、前記湿紙側層の表面に経方向に形成された複数の凹溝は、前記シューの幅方向両側のシューエッジ当接部領域のところには形成されておらず、この領域以外のところに形成されている場合であってもよい。
前記補強用基材は、経糸と緯糸により格子状をなし且つ交差部で接合された格子状部材により構成され、前記基体層は、経糸と緯糸により格子状をなし且つ交差部で接合された格子状部材からなる本体部と、前記格子状部材からなる前記補強用基材と、前記格子状部材の外周または内周に配置され糸が螺旋状に巻回された糸巻層とを有しているのが好ましい。
前記補強用基材には、前記基体層の前記本体部用と同じまたは異なる前記格子状部材が使用されているのが好ましい。
前記本体部の前記格子状部材と、前記補強用基材の前記格子状部材とが異なる例としては、両方の前記格子状部材において、互いのメッシュが異なる第１のケースと、前記経糸同士の太さが異なる第２のケースと、前記緯糸同士の太さが異なる第３のケースと、前記第１のケースないし前記第３のケースのうち二以上のケースが組合わさった場合とがある。
前記格子状部材が複数層の場合に、この格子状部材自体の幅方向の端部同士を互いに重ねた部分、または、この端部同士が互いに離隔する部分若しくは互いに当接する部分が、複数層に渡って同じ場所にならないように配置されているのが好ましい。
また、前記格子状部材は前記緯糸が前記経糸よりも摩耗しにくくなっているのが好ましい。
好ましい一実施態様として、前記経糸は、炭素繊維やガラス繊維などの無機繊維，木綿などの天然繊維，または合成繊維の素材からなる、撚糸または紡績糸であり、前記緯糸は、ナイロン，ポリエチレンテレフタラート，芳香族ポリアミド，芳香族ポリイミド，高強度ポリエチレンなどの高いモジュラス，高弾性率の合成繊維，ポリエステルのマルチフィラメントの撚糸であるか、または、ポリエステル綿からなる紡績糸である。
たとえば、前記合成繊維は、ポリエステル綿，ポリエステルのマルチフィラメント，アクリル綿，または、アクリルのマルチフィラメントである。
【手続補正３】
【補正対象書類名】明細書
【補正対象項目名】００３５
【補正方法】変更
【補正の内容】
【００３５】
前記構成による本発明のシュープレス用ベルトについて、以下に示す具体的な実施例１〜実施例５および比較例１を得た。
（実施例１）
工程１：駆動手段により回転可能な直径１,５００mmのマンドレルの磨かれた表面に、予め、剥離剤（ＫＳ−６１：信越化学工業製）を適宜塗布した。次に、マンドレルを回転させながら、ドクターバーを用いてマンドレルの表面に熱硬化性ウレタン樹脂を１mm厚みに塗布し、マンドレルを回転させたまま室温で１０分間放置した。
ここで、熱硬化性ウレタン樹脂は、ＴＤＩ系プレポリマー（タケネートＬ２３９５［武田製薬製］）と、ＤＭＴＤＡを含有する硬化剤（ＥＴＨＡＣＵＲＥ３００［アルベマール社製］）とを、Ｈ／ＮＣＯ当量比が０.９７となるように混合したものである。なお、ＥＴＨＡＣＵＲＥ３００は、３，５−ジメチルチオ２，４−トルエンジアミンと、３，５−ジメチルチオ２，６−トルエンジアミンとの混合物である。
次に、マンドレルに付属している加熱装置によって、熱硬化性ウレタン樹脂を７０℃で３０分間加熱し硬化させて、シュー側層を形成した。